(57)【特許請求の範囲】
【請求項１】
複数台の照明器具を横方向に並べて取り付け可能であって、前記横方向に長い柱状に形成されており各照明器具に電源供給するフライダクトを有したライトバトンと、ライトバトンを上下方向に昇降させる昇降装置と、ライトバトンにおいてフライダクトの長手方向に沿う側面に、自発光式の表示素子がフライダクトの長手方向の全長に亘り隙間なく並んで見えるように多数個配列されて成る表示部と、表示部全体の点灯パターンを設定する設定装置と、設定装置で設定された点灯パターンに従って表示部の各表示素子の点灯状態を個別に制御するコントロールユニットとを備えることを特徴とする照明設備。
【請求項２】
前記表示素子は、前記ライトバトンにおける前記表示部が設けられた側面において前記フライダクトの長手方向に交わる方向に複数列配設されていることを特徴とする請求項１記載の照明設備。
【請求項３】
前記ライトバトンの高さ位置を調節するように前記昇降装置を制御する昇降制御盤が設けられ、ライトバトンは複数本設けられており、昇降装置は、各ライトバトンを個別に昇降させるように各ライトバトンにそれぞれ対応付けて複数台設けられており、前記複数本のライトバトンは、各ライトバトンが昇降する平面が当該平面に直交する一方向に並び、かつそれぞれの前記表示部が同じ向きを向くように配列されており、昇降制御盤は、各ライトバトンの高さ位置を前記一方向において表示部側に隣接するライトバトンよりも低く設定することにより、前記複数本のライトバトンを、表示部側から見て多数個の表示素子が縦横に並び、各表示部に部分画像をそれぞれ表示したときに複数本のライトバトンの表示部で全体画像が形成される配置とすることを特徴とする請求項１または請求項２に記載の照明設備。
【請求項４】
前記コントロールユニットは、前記昇降装置の動作状態が前記表示部に表示されるように昇降装置に対して伝送路を介して接続されていることを特徴とする請求項１ないし請求項３のいずれか１項に記載の照明設備。
【請求項５】
前記コントロールユニットは、前記照明器具の動作状態が前記表示部に表示されるように照明器具に対して伝送路を介して接続されていることを特徴とする請求項１ないし請求項４のいずれか１項に記載の照明設備。
【請求項６】
前記表示素子は、それぞれ赤、緑、青の各色に発光する３種類の光源が混色光を出力するように近接配置されており、各種類の光源の点灯状態を個別に制御することにより混色光の色を可変としていることを特徴とする請求項１ないし請求項５のいずれか１項に記載の照明設備。
【請求項７】
前記表示部は、前記ライトバトンにおいて表示部が設けられる側面に対する表示部の上下方向の角度を可変とする角度調節機構を介してライトバトンに取り付けられていることを特徴とする請求項１ないし請求項６のいずれか１項に記載の照明設備。
【発明の詳細な説明】
【技術分野】
【０００１】
本発明は、テレビ局のスタジオや劇場・ホールなどで使用されているライトバトンを用いた照明設備に関するものである。
【背景技術】
【０００２】
従来から、この種の照明設備として、テレビ局のスタジオではスタジオ全体を照明可能とするために、スタジオの上部に配置された複数本のライトバトン５を用いて照明器具を配置するものが採用されている（図３参照）。各ライトバトン５はそれぞれ、図９に示すように、天井グリッド７上に設置された昇降装置９によって上下方向（図９の矢印Ａ方向）に昇降可能に構成されており、複数台の照明器具４を横方向に並べて吊り下げ可能な吊りパイプ１３と、横方向に長い柱状に形成され各照明器具４に電源供給するフライダクト１４とを有する。
【０００３】
フライダクト１４には、複数台の照明器具４を同時に接続できるように、横方向に沿う側面から引き出されそれぞれ照明器具４を接続可能な接続器１５（コネクタ）が複数個設けられている。図１０に示すように、フライダクト１４の長手方向に沿う側面にコンセント口１５’が複数個設けられたものもある。なお、フライダクト１４はボーダーケーブル１９によって電源供給されており、図９ではライトバトン５の上昇時に弛んだボーダーケーブル１９を収納するケーブル受けかご２０が設けられているが、図１１のようにボーダーケーブル１９を巻き取るケーブルリール６２を採用したものもある。
【０００４】
図９、１１に示す照明設備においては、フライダクト１４の長手方向の一端部に設けたパイロットランプ６３により昇降装置９の動作状態（ライトバトン５の昇降）を表示する。ただし、このパイロットランプ６３は比較的小さく遠方からの視認性が悪いので、自発光式であってパイロットランプ６３よりも大型の表示部（図示せず）をライトバトン５の長手方向の一部分に取り付け、当該表示部を点滅させることによりライトバトン５が昇降中であることを示すものも考えられている（たとえば特許文献１参照）。
【０００５】
ところで、ライトバトン５に照明器具４を取り付ける際には、作業者は、照明器具４の取付位置などが記載された仕込み図を参照し、照明器具４をどのライトバトン５のどの位置に取り付けるのか等を確認しながら、ライトバトン５に照明器具４を取り付けていくのが一般的である。ただし、仕込み図を参照しながらの作業は、仕込み図における取付位置と実際の取付位置とを照らし合わせる必要があるから作業の効率が悪く、また、仕込み図における取付位置とは異なった位置に照明器具４を取り付けてしまうなどの作業ミスも生じやすい。
【０００６】
これに対して、ライトバトン５の接続器１５に対応する各部位にそれぞれ表示部を設け、各接続器１５に接続する照明器具４の情報を当該接続器１５に対応する表示部に表示させる照明設備が提案されている（たとえば特許文献２参照）。特許文献２に記載の照明設備を用いれば、仕込み図を参照しなくとも、各表示部の表示に従って照明器具４を取り付ける接続器１５を特定することができる。
【特許文献１】登録実用新案第３０４５７３３号公報（第５頁）
【特許文献２】特開平１０−３２６５１０号公報（第４−５頁）
【発明の開示】
【発明が解決しようとする課題】
【０００７】
しかし、上述した特許文献２に記載の照明設備は、表示部の表示によってどの接続器１５にどの照明器具４を接続するかを特定するものに過ぎず、ライトバトン５における照明器具４の取付位置を特定するものではない。すなわち、同じ接続器に照明器具４を接続する場合でも、横方向における照明器具４の取付位置にはある程度の自由度があり、この取付位置によって当該照明器具４の照射位置が変わってくるが、従来の表示部では当該取付位置まで特定することはできなかった。
【０００８】
本発明は上記事由に鑑みて為されたものであって、ライトバトンにおける照明器具の取付位置を特定することができる照明設備を提供することを目的とする。
【課題を解決するための手段】
【０００９】
請求項１の発明では、複数台の照明器具を横方向に並べて取り付け可能であって、前記横方向に長い柱状に形成されており各照明器具に電源供給するフライダクトを有したライトバトンと、ライトバトンを上下方向に昇降させる昇降装置と、ライトバトンにおいてフライダクトの長手方向に沿う側面に、自発光式の表示素子がフライダクトの長手方向の全長に亘り隙間なく並んで見えるように多数個配列されて成る表示部と、表示部全体の点灯パターンを設定する設定装置と、設定装置で設定された点灯パターンに従って表示部の各表示素子の点灯状態を個別に制御するコントロールユニットとを備えることを特徴とする。
【００１０】
この構成によれば、ライトバトンにおいてフライダクトの長手方向に沿う側面に、自発光式の表示素子がフライダクトの長手方向の全長に亘り隙間なく並んで見えるように多数個配列されて成る表示部を備えているから、フライダクトの長手方向の全長に亘って任意の位置を表示部の表示により特定することができる。したがって、表示部でライトバトンにおける照明器具の取付位置を表示するようにすれば、ライトバトンにおける照明器具の取付位置を表示部で特定することができる。
【００１１】
請求項２の発明は、請求項１の発明において、前記表示素子が、前記ライトバトンにおける前記表示部が設けられた側面において前記フライダクトの長手方向に交わる方向に複数列配設されていることを特徴とする。
【００１２】
この構成によれば、表示素子が縦横に複数個ずつ並んで面を形成するので、文字や図形や映像などを表示部に表示させることが可能となる。
【００１３】
請求項３の発明は、請求項１または請求項２の発明において、前記ライトバトンの高さ位置を調節するように前記昇降装置を制御する昇降制御盤が設けられ、ライトバトンが複数本設けられており、昇降装置が、各ライトバトンを個別に昇降させるように各ライトバトンにそれぞれ対応付けて複数台設けられており、前記複数本のライトバトンが、各ライトバトンが昇降する平面が当該平面に直交する一方向に並び、かつそれぞれの前記表示部が同じ向きを向くように配列されており、昇降制御盤が、各ライトバトンの高さ位置を前記一方向において表示部側に隣接するライトバトンよりも低く設定することにより、前記複数本のライトバトンを、表示部側から見て多数個の表示素子が縦横に並び、各表示部に部分画像をそれぞれ表示したときに複数本のライトバトンの表示部で全体画像が形成される配置とすることを特徴とする。
【００１４】
この構成によれば、複数本のライトバトンは、表示部側から見て多数個の表示素子が縦横に並び、各表示部に部分画像をそれぞれ表示したときに複数本のライトバトンの表示部で全体画像が形成される配置となるから、各表示部に部分画像をそれぞれ表示することによって複数本のライトバトンの表示部に跨る大きさの全体画像を表示することができる。したがって、１個の表示部で表示する場合に比べて、画像を大きく表示することができる。
【００１５】
請求項４の発明は、請求項１ないし請求項３のいずれかの発明において、前記コントロールユニットが、前記昇降装置の動作状態が前記表示部に表示されるように昇降装置に対して伝送路を介して接続されていることを特徴とする。
【００１６】
この構成によれば、ライトバトンにおいてフライダクトの長手方向の全長に亘って形成された表示部に昇降装置の動作状態を表示することができるから、ライトバトンの長手方向の一部分に設けた表示部に昇降装置の動作状態を表示する従来構成に比べて、昇降装置の動作状態の遠方からの視認性を高めることができる。なお、ここでいう昇降装置の動作状態には、ライトバトンの昇降などの正常な動作のほか、ライトバトンの衝突、突上げ、過荷重などの異常も含む。
【００１７】
請求項５の発明は、請求項１ないし請求項４のいずれかの発明において、前記コントロールユニットが、前記照明器具の動作状態が前記表示部に表示されるように照明器具に対して伝送路を介して接続されていることを特徴とする。
【００１８】
この構成によれば、照明器具の動作状態を表示部の表示によって確認することができる。なお、ここでいう照明器具の動作状態には、照明器具の点灯、消灯などの正常な動作のほか、調光器盤の回路漏電、過負荷、各負荷回路のブレーカオフ、調光器盤の温度異常などの異常も含む。
【００１９】
請求項６の発明は、請求項１ないし請求項５のいずれかの発明において、前記表示素子が、それぞれ赤、緑、青の各色に発光する３種類の光源が混色光を出力するように近接配置されており、各種類の光源の点灯状態を個別に制御することにより混色光の色を可変としていることを特徴とする。
【００２０】
この構成によれば、各表示素子からそれぞれ出力される混色光の色が可変であるから、表示部においてフルカラー表示が可能になり、表示部自体を演出用の照明器具として使用することが可能となる。
【００２１】
請求項７の発明は、請求項１ないし請求項６のいずれかの発明において、前記表示部が、前記ライトバトンにおいて表示部が設けられる側面に対する表示部の上下方向の角度を可変とする角度調節機構を介してライトバトンに取り付けられていることを特徴とする。
【００２２】
この構成によれば、表示部の上下方向の角度が可変となっているから、ライトバトンの高さ位置にかかわらず地上に立つ作業者に表示部を向けることができ、表示部の視認性がよくなる。
【発明の効果】
【００２３】
本発明は、ライトバトンにおいてフライダクトの長手方向に沿う側面に、自発光式の表示素子がフライダクトの長手方向の全長に亘り隙間なく並んで見えるように多数個配列されて成る表示部を備えているから、フライダクトの長手方向の全長に亘って任意の位置を表示部の表示により特定することができる。したがって、表示部でライトバトンにおける照明器具の取付位置を表示するようにすれば、ライトバトンにおける照明器具の取付位置を表示部で特定することができるという利点がある。
【発明を実施するための最良の形態】
【００２４】
本実施形態ではテレビ局のスタジオで使用する照明設備を例示するが、たとえば劇場・ホールなどスタジオ以外で使用する照明設備に本発明を採用することもできる。
【００２５】
本実施形態の照明設備は、複数台の照明器具４を横方向に並べて取り付け可能なライトバトン５を用いて照明器具４をスタジオの上部に配置するものであって、図２に示すように、照明器具４によりスタジオの照明を行う照明システム１と、ライトバトン５を上下方向（図２の矢印Ａ方向）に昇降させる昇降システム２と、ライトバトン５に設けた後述の表示部６を用いて表示を行う表示システム３との３つのシステムを備えている。
【００２６】
スタジオの上部には天井グリッド７が配置されており、ライトバトン５は、当該天井グリッド７から引き出されたワイヤロープ８によって吊り下げられる。天井グリッド７上にはワイヤロープ８を巻き取り可能な昇降装置９が設置されており、この昇降装置９によってライトバトン５が上下方向に昇降可能となる。本実施形態では、図３のように複数本のライトバトン５がスタジオのほぼ全域に亘ってスタジオ上部に配設されており、昇降装置９は１本のライトバトン５に対して１台ずつ設けられる。昇降装置９は、ライトバトン５の上下方向の位置（高さ位置）を設定する昇降操作盤１０と、ライトバトン５の高さ位置を昇降操作盤１０で設定された高さ位置に調節するように昇降装置９におけるワイヤロープ８巻き取り用のモータＭを制御する昇降制御盤１１と共に昇降システム２を構成している。昇降装置９は昇降負荷配線１２を介して昇降制御盤１１から電源供給される。
【００２７】
各ライトバトン５はそれぞれ、図２に示すように、複数台の照明器具４を横方向に並べて吊り下げ可能な吊りパイプ１３と、各照明器具４に電源供給するフライダクト１４とを有する。フライダクト１４は横方向に長い柱状に形成されており、長手方向に沿う側面（以下、背面という）においては長手方向の全長に亘って、それぞれ照明器具４を接続可能な複数個の接続器１５（コネクタ）が等間隔で引き出されている。吊りパイプ１３は、フライダクト１４と同方向に長い棒状に形成されており、フライダクト１４の下方に吊り下げられる。
【００２８】
フライダクト１４に対して電源供給を行うのは、ライトバトン５に取り付けられた照明器具４を個別に調光可能な調光器盤１６である。調光器盤１６は、ライトバトン５に取り付けられた照明器具４と、各照明器具４の調光レベルを設定する調光卓１７と共に照明システム１を構成している。調光器盤１６は、交流電源が供給されており、調光卓１７で設定された調光レベルに従って位相制御方式により照明器具４に供給する電力量を調節する。ここでは、調光器盤１６は天井グリッド７上に設置された接続端子箱１８に照明負荷配線６１を介して接続されており、フライダクト１４はこの接続端子箱１８に対してボーダーケーブル１９を介して接続される。そのため、フライダクト１４の上部には、ライトバトン５の上昇時に弛んだボーダーケーブル１９を収納するケーブル受けかご２０が設けられている。ボーダーケーブル１９と各接続器１５との間の配線はフライダクト１４内を引き回される。なお、ここでは昇降制御盤１１に３相３線式の交流電源を供給し、調光器盤１６に単相３線式あるいは３相４線式の交流電源を供給する。
【００２９】
また、本実施形態の照明設備では、フライダクト１４の長手方向に沿う背面以外の側面（以下、前面という）に対して、ＬＥＤ（発光ダイオード）を表示素子２１として多数個配置することにより表示部６を構成している。表示素子２１は図１に示すように、フライダクト１４の長手方向の全長に亘って隙間なく並んで見えるように密に配列される。本実施形態では、表示素子２１がフライダクト１４の前面にマトリックス状に配置されるように、表示素子２１を上下方向にも隙間なく並んで見えるように密に複数列配設している。表示部６は、表示部６全体の点灯パターンを設定する設定装置２２と、設定装置２２で設定された点灯パターンに従って各表示素子２１の点灯状態を個別に制御するコントロールユニット２３と共に表示システム３を構成している。ここでいう点灯パターンには、各表示素子２１の点灯および消灯だけではなく、各表示素子２１の輝度や、点灯時間等の時間的要素なども含む。
【００３０】
本実施形態の設定装置２２は、表示部６の点灯パターンを入力可能に構成されており、たとえば照明器具４の取付位置を示す点灯パターンを入力してコントロールユニット２３に伝送することにより、表示部６において照明器具４の取付位置を示す表示が可能となる。つまり、設定装置２２において照明器具４の取付位置に対応する表示素子２１が点灯するように点灯パターンの設定を行えば、コントロールユニット２３が設定装置２２の設定内容に従って照明器具４の取付位置に対応する表示素子２１を点灯させることになる。ここにおいて、本実施形態では、表示部６の表示素子２１がライトバトン５におけるフライダクト１４の長手方向の全長に亘って隙間なく並んで見えるように配列されているので、照明器具４の取付位置を接続器１５の位置とは無関係に特定することができる。
【００３１】
さらにまた、本実施形態の表示部６は表示素子２１がマトリックス状に２次元配列されているから、表示部６には、照明器具４の取付位置のほかに、所望の文字や図形や映像等を表示させることもできる。ここにおいて設定装置２２は、文字や図形や映像（ＭＰＥＧデータ）等も点灯パターンとして直接入力可能に構成されている。ここでは、フライダクト１４の前面のほぼ全面に表示素子２１を設けることにより比較的大きな表示部６を構成しているので、表示部６に表示される文字や図形は遠方からであっても視認可能となる。したがって、比較的高い位置にあるライトバトン５であっても、表示部６に表示された文字や図形をスタジオ内の作業者に視認させることができる。表示部６に表示する文字や図形の具体例については後述する。
【００３２】
各表示素子２１は、それぞれ赤、緑、青の各色に発光する３種類の光源が混色光を出力するように近接配置されており、各種類の光源の点灯状態を個別に制御することにより混色光の色を可変としている。これにより、表示部６においてフルカラー表示が可能になり、この表示部６自体を演出用の照明器具として使用することも可能となる。
【００３３】
ここで、表示部６は、フライダクト１４の前面に対する表示部６の上下方向の角度を可変とする角度調節機構（図示せず）を介してライトバトン５に取り付けられることにより、自身の向きが可変となっている。このように表示部６の向きを可変としているから、図４（ａ）に示すようにスタジオにおいて撮影時に背景となるホリゾント壁Ｈに表示部６を向け、表示部６から出た光によってホリゾント壁Ｈを様々な色に照らすことにより表示部６をホリゾントライトとして利用することや、図４（ｂ）に示すように表示部６をスタジオの床面Ｇに向け、表示部６から出た光によってスタジオ内を照明することにより表示部６を地明かりとして利用することも可能である。ここでは、ホリゾントライトが取り付けられるライトバトン５’（図３参照）に設けられた表示部６をホリゾント壁Ｈに向け、エリアライトが取り付けられるライトバトン５”（図３参照）に設けられた表示部６を床面Ｇに向けている。ただし、表示部６をホリゾントライトや地明かりとして利用する際には、表示部６から出射される光にむらが生じないように表示部６の光の取り出し面側に拡散レンズ（図示せず）を具備することが望ましい。
【００３４】
また、点灯パターンとして、ランダム点滅、グラデーション表示、アニメーション的な図形表示などを設定することにより、表示部６を電飾として機能させることもできる。従来の照明設備では、スタジオでの撮影時にライトバトン５が映像に映り込むと見苦しい映像となるが、本実施形態の照明設備においてライトバトン５に設けた表示部６を電飾として機能させた場合には、ライトバトン５自体が演出の一部となるから、ライトバトン５が映り込んでも見苦しい映像にならない。
【００３５】
ところで、昇降システム２においては昇降操作盤１０から昇降制御盤１１に昇降信号を伝送するための伝送路、照明システム１においては調光卓１７から調光器盤１６に調光信号を伝送するための伝送路、表示システム３においては設定装置２２からコントロールユニット２３に点灯パターンを伝送するための伝送路が必要になる。そこで本実施形態では、昇降操作盤１０と昇降制御盤１１との間、調光卓１７と調光器盤１６との間、設定装置２２とコントロールユニット２３との間を、共通のネットワーク２４（ここではイーサネット（登録商標）を用いる）を介して接続してある。
【００３６】
以下に、各システムの具体的な構成について図５を参照して説明する。
【００３７】
昇降システム２においては、昇降操作盤１０が、ＨＵＢを介してネットワーク２４に接続されるデータ入出力部２５と、ライトバトン５の高さ位置を設定する設定部２６と、設定部２６の設定に従って昇降信号を出力する制御部２７と、記憶部２８および後述の異常検知部２９とを有する。昇降制御盤１０は、ＨＵＢ３０を介してネットワーク２４に接続されるデータ入出力部３１と、昇降装置９のモータＭへの供給電力を調節する出力部３２と、ネットワーク２４を介して受信した昇降信号に従って出力部３２を制御する制御部３３と、後述の異常検知部３４とを有する。
【００３８】
照明システム１においては、調光卓１７が、ＨＵＢ３０を介してネットワーク２４に接続されるデータ入出力部３５と、調光レベルを設定する設定部３６と、設定部３６の設定に従って調光信号を出力する制御部３７と、記憶部３８および後述の異常検知部３９とを有する。調光器盤１６は、ＨＵＢ３０を介してネットワーク２４に接続されるデータ入出力部４０と、各照明器具４への供給電力量を調節する調光器４１と、ネットワーク２４を介して受信した調光信号に従って調光器４１を制御する制御部４２と、後述の異常検知部４３とを有する。また、本実施形態では、ライトバトン５に取り付ける照明器具４の１つに、専用規格（ここではＤＭＸ５１２）で定められた制御信号によって光の放射方向を変化させることができるムービングスポットライトを用いており、この制御信号に関しては調光器盤１６から配信するのではなく、ライトバトン５に設けたイーサ／ＤＭＸ変換部４４を介してネットワーク２４から照明器具４’（ムービングスポットライト）に配信されるように構成してある。そのため、本実施形態で用いるボーダーケーブル１９は、調光器盤１６と照明器具４との間の電源供給用の配線、およびＨＵＢ３０とイーサ／ＤＭＸ変換部４４との間の配線として使用できるものを採用する。
【００３９】
表示システム３においては、設定装置２２が、ＨＵＢ３０を介してネットワーク２４に接続されるデータ入出力部４５と、点灯パターンを設定する設定部４６と、設定部４６の設定に従って点灯パターンを出力する制御部４７と、記憶部４８および後述の異常検知部４９とを有する。コントロールユニット２３は、ＨＵＢ３０を介してネットワーク２４に接続されるデータ入出力部５０と、各表示素子２１を個別に点灯させる表示出力部５１と、ネットワーク２４を介して受信した点灯パターンに従って表示出力部５１を制御する制御部５２と、記憶部５３および後述の異常検知部５４とを有する。ただし、コントロールユニット２３の記憶部５３にあらかじめ複数種類の点灯パターンを記憶しておいて、設定装置２２で設定された点灯パターンをコントロールユニット２３の記憶部５３から呼び出して用いることもできる。
【００４０】
なお、ライトバトン５は上述したように複数本設けられているので、ライトバトン５に設けられる表示部６も複数個存在することになる。そこで、表示部６の点灯パターンを、ライトバトン５ごとに個別に設定できるように、コントロールユニット２３を各ライトバトン５にそれぞれ搭載し、各コントロールユニット２３にそれぞれ固有のアドレスを付与してある。設定装置２２は、アドレスを用いて点灯パターンの伝送対象となるコントロールユニット２３を指定することにより、任意のライトバトン５の表示部６を選択して表示を行わせることができる。
【００４１】
このように、ネットワーク２４を介して昇降システム２と照明システム１と表示システム３とが接続されることによって、各システム間で様々な情報を共有することが可能となる。
【００４２】
したがって、たとえば昇降装置９や照明器具４の動作状態を表示システム３の表示部６に表示させることなどが可能となる。この種の表示を表示部６で行うためには、複数種類の点灯パターンを昇降装置９や照明器具４の各動作状態にそれぞれ対応付けて設定装置２２あるいはコントロールユニット２３の記憶部４８，５３にあらかじめ記憶しておき、設定装置２２あるいはコントロールユニット２３において、昇降システム２や照明システム１から動作状態に応じてネットワーク２４上に出力される信号を受け、当該動作状態に対応する点灯パターンを呼び出して用いるようにすればよい。
【００４３】
ここでいう昇降装置９や照明器具４の動作状態には、図６（ａ）に示すライトバトン５の上昇中など、正常な動作だけではなく、ライトバトン５の衝突、突上げ、過荷重などの昇降システム２の異常や、調光器盤１６の回路漏電、過負荷、各負荷回路のブレーカオフ、調光器盤１６の温度異常などの照明システム１の異常も含む。昇降システム２の異常は、昇降操作盤１０の異常検知部２９あるいは昇降制御盤１１の異常検知部３４で検知され、照明システム１の異常は、調光卓１７の異常検知部３９あるいは調光器盤１６の異常検知部４３で検知される。具体例を挙げると、ライトバトン５が下降中に障害物に接触した突上げ時には、表示部６において図６（ｂ）のように突上げ発生を意味する文字を表示し、一方、調光器盤１６の回路で漏電が発生した際には、表示部６に図６（ｃ）のように漏電発生を意味する文字を表示する。
【００４４】
これらの異常は、従来は調光卓１７や昇降操作盤１０が具備しているモニターや調光器盤１６や昇降制御盤１１内のモニターでしか確認できなかったが、本発明によりライトバトン５に設けた表示部６に表示させることができるようになる。その結果、これらの異常をスタジオ内の作業者に迅速に知らせることができる。なお、本実施形態では、表示部６の温度異常、設定装置２２とコントロールユニット２３との間の通信異常など、表示システム３で発生する異常についても、設定装置２２の異常検知部４９あるいはコントロールユニット２３の異常検知部５４で検知して表示部６に表示可能としている。
【００４５】
また、上述のネットワーク２４には、スタジオごとに１台ずつ設けられたサーバコンピュータ５５（以下、スタジオサーバという）が接続されている。スタジオサーバ５５は、昇降システム２、照明システム１、表示システム３で用いる各データを保存、配信、検索、編集することができるように構成されている。
【００４６】
具体的には、スタジオサーバ５５は、ＨＵＢ３０を介してネットワーク２４に接続されるデータ入出力部５６と、各システム１，２，３で用いるデータを記憶する記憶部５７と、各システム１，２，３で用いるデータの保存、配信、検索、編集などの操作が可能な入力インタフェース（図示せず）を備えた設定部５８と、設定部５８の操作に従って各システム１，２，３で用いるデータの配信、検索、編集を行う制御部５９とを有する。
【００４７】
そして、従来はそれぞれのシステム１，２，３で個別に管理していた各システムの設定に用いる情報（以下、仕込情報という）、すなわち照明システム１であれば、照明器具４の取付位置や照射方向、フィルタの種類、パッチ情報（つまり調光器４１と照明器具４との接続情報）、調光レベル、シーン、エフェクト情報など、昇降システム２であれば、昇降操作情報（上昇、下降、停止）、ライトバトン５の高さ位置、一括して昇降させるライトバトン５のグループ情報などを、スタジオサーバ５５にて一元管理する。
【００４８】
しかも、これらの仕込情報は、それぞれ異なるシステム１，２，３の仕込情報であっても互いに対応付けて管理可能としてある。各システム１，２，３およびスタジオサーバ５５においては、撮影場面の転換時に全てのシステム１，２，３に場面転換の合図であるキュー信号を配信する機能が設けられており、互いに対応付けてスタジオサーバ５５に管理されている異なるシステム１，２，３の仕込情報を、いずれかのシステム１，２，３あるいはスタジオサーバ５５からのキュー信号によって同時に使用することができる。たとえば、照明システム１からのキュー信号により、照明システム１と昇降システム２とを連動させて、照明器具４をある調光レベルに調光するとともにラインバトン５をある高さ位置に移動させるといった動作が可能になる。なお、スタジオサーバ５５にて一元管理される仕込情報は主としてスタジオサーバ５５の設定部５８から入力されるが、設定装置２２や昇降操作盤１０や調光卓１７からも入力可能な構成を採用している。つまり、設定装置２２で入力された点灯パターンについてもスタジオサーバ５５にて一元管理される。
【００４９】
さらに、本実施形態の表示システム３は、スタジオサーバ５５に保存されている仕込情報を、スタジオサーバ５５あるいは設定装置２２の操作により任意に読み出して表示部６に表示可能に構成されている。これにより、昇降装置９や照明器具４の動作状態だけでなく、従来は仕込み図から読み取っていた仕込情報をも表示システム３の表示部６に表示することができる。その結果、たとえば作業者が照明器具４を取り付ける際に、仕込み図を用いることなく各ライトバトン５に取り付ける照明器具４の種類、照射方向などを表示部６の表示によって容易に確認することができ、照明器具４の取り付け作業の効率化を図ることができる。ここにおいて、各表示部６に表示させる仕込情報は、主として当該表示部６が設けられたライトバトン５に関連するものとしている。たとえば、図６（ｄ）のように該当するライトバトン５に関して各照明器具４の調光レベルを表示部６に文字で表示したり、図６（ｅ）のように該当するライトバトン５に関して照明器具４を接続する接続器１５の位置および各照明器具４の種類を表示部６に文字で表示したりすることができる。
【００５０】
さらにまた、仕込情報はスタジオで収録する番組ごとにまとめて管理される。すなわち、１つの番組を収録するために使用する仕込情報は全て１まとめにしてスタジオサーバ５５に保存している。ここで、スタジオサーバ５５に保存されるデータには、番組名、オンエア日時、照明担当者などの属性を対応付けて保存し、データの管理を容易にしてある。スタジオサーバ５５は、昇降システム２と照明システム１と表示システム３とに対して、保存されているデータを番組ごとに一斉に配信する機能を有している。
【００５１】
ところで、本実施形態では複数個の表示部６を用いて、１つの表示部６では表示しきれない大きな映像を表示することができるように、以下の構成を採用している。
【００５２】
それぞれ表示部６が設けられた複数本のライトバトン５は、図７（ａ）のように、それぞれの表示部６を同じ向きに向けて、かつ各フライダクト１４が昇降する平面（つまりライトバトン５が昇降時に通る平面）が前後方向に等間隔で並ぶように配列されている。そして、昇降制御盤１１は、各ライトバトン５の表示部６から放射される光が他のライトバトン５によって遮られることがないように、各ライトバトン５の高さ位置を前後方向において表示部６側に隣接するライトバトン５よりも低く設定する。前記複数本のライトバトン５の全てについてこのように高さ位置を設定すると、複数本のライトバトン５が、前方のライトバトン５ほど高さ位置が高くなるように階段状に並ぶことになる。ここにおいて、ライトバトン５の表示部６側に設置されたカメラ６０からこれら複数本のライトバトン５を見ると、各ライトバトン５の表示部６が上下方向に並んで見えるから、これらの表示部６を全体で１つの画面（以下、大画面という）として用いることにより大きな映像を表示することができる。このとき、大画面の縦横には多数個の表示素子２１が並ぶことになる。さらに、同様に高さ位置が設定された複数本のライトバトン５の組み合わせを左右方向に複数組並べて配置しておけば、図７（ｂ）に示すように、上下方向に表示部６複数個（ここでは１１個）分、左右方向に表示部６複数個（ここでは３個）分の大きさの大画面を構成することができる。
【００５３】
大画面に１つの映像を表示させる際には、設定装置２２（あるいはスタジオサーバ５５）において対象となる映像（全体画像）を分割し、大画面を構成している各表示部６に対して分割後の映像（部分画像）を表示させるように、各コントロールユニット２３に分割後の映像に対応する点灯パターンを割り当てる。ここで、分割後の各映像が大画面において分割前の位置と同じ位置に表示されるように、各コントロールユニット２３に点灯パターンが割り当てられる。各コントロールユニット２３の識別は上述のアドレスを用いて行われる。設定装置２２は、各コントロールユニット２３に同期信号を送信することにより、各表示部６の間において映像の時間的なずれを補正し、大画面の映像が乱れないようにしている。
【００５４】
また、大画面を構成するために、複数本のライトバトン５の高さ位置を個別に調節するのは手間がかかるので、本実施形態では、大画面を構成する各ライトバトン５の高さ位置の組み合わせを昇降操作盤１０あるいはスタジオサーバ５５にあらかじめ登録しておいて、簡単に大画面を構成できるようにしてある。しかも、このように昇降システム２により大画面を構成するための情報と、表示システム３において大画面に映像を表示させる情報とを互いに対応付けてスタジオサーバ５５で管理しておくことにより、いずれかのシステム１，２，３やスタジオサーバ５５からのキュー信号によって、大画面を構成するとともに大画面に映像を表示できるようにしてある。
【００５５】
なお、各表示部６を構成する表示素子２１の配列は図１に示すものに限らず、たとえば、図８（ａ）のように１色の表示素子２１（ここでは白色）をフライダクト１４の長手方向に沿って１列だけ配設したり、図８（ｂ）のようにそれぞれ発光色の異なる３種類の表示素子２１（ここでは、赤、青、白の３色）を種類ごとに上下３列に分けて配設したりしてもよい。このような構成の表示部６であっても、照明器具４の取付位置に対応する表示素子２１を点灯させて照明器具４の取付位置を示したり、あるいは、点滅等により昇降装置の動作状態を示したり、表示部６を電飾として機能させたりすることができる。
【図面の簡単な説明】
【００５６】
【図１】本発明の実施形態のライトバトンを示し、（ａ）は正面図、（ｂ）は背面図、（ｃ）は上面図、（ｄ）は側面図、（ｅ）は側面図である。
【図２】同上の照明設備を示す概略構成図である。
【図３】同上の照明設備を用いるスタジオを示す平面図である。
【図４】（ａ）は同上の表示部をホリゾント壁に向けた状態の側面図、（ｂ）は同上の表示部を床面に向けた状態の側面図である。
【図５】同上の照明設備を示すブロック図である。
【図６】同上の表示部の表示例を示す正面図である。
【図７】同上に用いる複数本のライトバトンの位置関係を示し、（ａ）は側面図、（ｂ）は正面図である。
【図８】同上の表示部の他の例を示す正面図である。
【図９】従来例を示す概略構成図である。
【図１０】他の従来例を示す概略構成図である。
【図１１】さらに他の従来例を示す概略構成図である。
【符号の説明】
【００５７】
４  照明器具
５  ライトバトン
６  表示部
９  昇降装置
１１  昇降制御盤
１４  フライダクト
２１  表示素子
２２  設定装置
２３  コントロールユニット
【図１】
0004575894.tif 000002
【図２】
0004575894.tif 000003
【図３】
0004575894.tif 000004
【図４】
0004575894.tif 000005
【図５】
0004575894.tif 000006
【図６】
0004575894.tif 000007
【図８】
0004575894.tif 000008
【図９】
0004575894.tif 000009
【図１０】
0004575894.tif 000010
【図１１】
0004575894.tif 000011
【図７】
0004575894.tif 000012